Podtech/llm-jp-corpus-v4-ja_patent huggingface dataset:
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
油圧用流体を圧送するためのベーンポンプであって、
チャンバを有した本体と、
前記チャンバ内に回転可能に設けられ、複数のスロットを有したロータであって、前記チャンバおよび前記ロータが、前記チャンバの壁と前記ロータの壁との間に一または複数の上昇領域、下降領域および停滞領域が形成されるような形状に形成されているロータと、
各々が、前記ロータの各スロット内に設けられ、後退位置と展開位置との間で移動可能となっており、前記後退位置では前記油圧用流体に作用せず、前記展開位置では前記油圧用流体に作用するように構成された複数のベーンと、
各ベーンの直ぐ下に延設されたベーン下側流路と、
前記一または複数の上昇領域の中へ比較的に低圧の油圧用流体を導くための一または複数の流入口と、
前記一または複数の降下領域から比較的に高圧の油圧用流体を排出するための一または複数の流出口と、
流出口圧の油圧用流体を前記降下領域に設けられた前記ベーン下側流路に供給するための少なくとも１つの流路と、
前記油圧用流体の前記流出口圧力よりも低いが前記流入口圧力よりは高い中圧の油圧用流体を、前記上昇領域に位置し前記上昇領域を通過していく前記ベーンの前記ベーン下側流路へ供給するための中圧供給手段と
を備えてなる、ベーンポンプ。
【請求項２】
前記中圧供給手段が、高圧の油圧用流体を前記ベーンポンプの前記流出口から取り出し、前記油圧用流体の圧力を中圧まで低下させる圧力レギュレータに前記高圧の油圧用流体を通し、中圧に低下された前記油圧用流体を、前記上昇領域に位置し前記上昇領域を通過する前記ベーンの前記ベーン下側流路へ供給するための手段を備えてなる、請求項１記載のベーンポンプ。
【請求項３】
前記中圧供給手段が、高圧の油圧用流体を前記ポンプの前記流出口以外から取り出し、前記油圧用流体の圧力を中圧まで低下させる圧力レギュレータに前記高圧の油圧用流体を通し、中圧に低下された前記油圧用流体を、前記上昇領域に位置し前記上昇領域を通過する前記ベーンの前記ベーン下側流路へ供給するための手段を備えてなる、請求項１記載のベーンポンプ。
【請求項４】
前記高圧の油圧用流体が他の油圧式ポンプにより作用された油圧用流体である、請求項３記載のベーンポンプ。
【請求項５】
前記中圧供給手段が、中圧の油圧用流体を受け取り、該中圧の油圧用流体を前記上昇領域に位置し前記上昇領域を通過する前記ベーンの前記ベーン下側流路へ供給するための手段を含んでなる、請求項１記載のベーンポンプ。
【請求項６】
前記中圧の油圧用流体が、油圧回路の戻り配管から得られてなる、請求項５記載のベーンポンプ。
【請求項７】
前記中圧の油圧用流体が、他の油圧式ポンプにより作用された油圧用流体である、請求項５記載のベーンポンプ。
【請求項８】
前記ベーンポンプが前記ロータの一端に圧力板を有しているとともに前記ロータの反対側の端部にポンプ本体端部を有しており、前記少なくとも１つの流路が、前記ポンプの前 
記流出口に連通しているとともに前記ポンプの排出領域に置かれる前記ベーンの前記ベーン下側流路と連通する前記ポンプ本体端部と前記圧力板とのうちの一方または両方に排出オリフィスを備えてなる、請求項１記載のベーンポンプ。
【請求項９】
前記中圧供給手段が、前記ポンプの流入口の領域を通過する前記ベーンの前記ベーン下側流路と連通する前記ポンプ本体端部および前記圧力板のうちの一方または両方に少なくとも１つの中圧の油圧用流体を有しており、前記中圧の油圧用流体供給オリフィスが中圧の油圧用流体の供給源に接続されてなる、請求項８記載のベーンポンプ。
【請求項１０】
前記ベーン下側流路と連通する前記排出オリフィスが前記圧力板および前記ポンプ本体端部のうちの一方に形成され、前記中圧の油圧用流体供給オリフィスが前記圧力板および前記ポンプ本体端部のうちの他方に形成されてなる、請求項９記載のベーンポンプ。
【請求項１１】
前記ベーンポンプが前記ベーンを前記後退位置に保持するために選択的に駆動することができる保持手段を有しており、前記中圧の油圧用流体の供給源が、前記保持手段を動作状態におよび／または非動作状態にするために用いられてなる、請求項１０記載のベーンポンプ。
【請求項１２】
油圧式機械であって、
チャンバを有した本体と、
前記チャンバ内に回転可能に設けられ、複数のスロットを有したロータであって、前記チャンバおよび前記ロータが、前記チャンバの壁と前記ロータの壁との間に一または複数の上昇領域、下降領域および停滞領域が形成されるような形状に形成されているロータと、
各々が、前記ロータの各スロット内に設けられ、後退位置と展開位置との間で移動可能となっており、前記後退位置では前記チャンバの中に導かれた前記油圧用流体に作用することができず、前記展開位置では前記後退位置では前記チャンバの中に導かれた前記油圧用流体に作用することができるように構成された複数のベーンと、
前記チャンバの中に油圧用流体を導くための流入口と、
前記チャンバから油圧用流体が流出するための流出口と、
前記ベーンを前記後退位置に保持するように選択的に駆動可能に構成され、前記ベーンを開放して前記ベーンが前記後退位置から前記展開位置へ移動することを可能とするように選択的に駆動可能に構成されているとともに、保持位置と非保持位置との間を移動するための移動可能係合手段を有しているベーン保持手段と、
第一の位置と第二の位置との間で移動可能な移動可能駆動手段とを備えており、
前記移動可能駆動手段が前記第一の位置と前記第二の位置との間で移動することにより、前記移動可能係合手段が非保持位置から保持位置へ移動させられるように構成されてなる、油圧式機械。
【請求項１３】
前記移動可能な駆動手段が、比較的大きな断面積の領域と比較的小さな断面積の領域とを有したスプールを備え、前記比較的大きな断面積および比較的小さな断面積の領域が傾いたまたは傾斜のある部分により接続されており、前記移動可能な駆動手段の前記比較的小さな断面積の領域が前記移動可能な係合手段と接触すると、前記移動可能な係合手段が前記非保持位置へ移動し、前記移動可能な駆動手段の前記比較的大きな断面積の領域が前記移動可能な係合手段と接触すると、前記移動可能な係合手段が前記保持位置へと移動させられるように構成されてなる、請求項１２記載の油圧式機械。
【請求項１４】
前記第一の位置と前記第二の位置との間で前記移動可能な駆動手段を移動させるために 
加圧されている油圧用流体およびバネが用いられ、前記加圧されている油圧用流体が、前記移動可能な駆動手段を第一の方向に移動するように構成され、前記バネが、前記移動可能な駆動手段から加圧されている油圧用流体がいったん取り除かれると、前記第一の方向とは反対側の第二の方向に向かって前記移動可能な駆動手段を移動させるように構成されてなる、請求項１３記載の油圧式機械。
【請求項１５】
前記移動可能な係合手段が、前記ベーンの側面に形成された孔の中に入って戻り止めとして働く少なくとも１つの玉を備えてなる、請求項１４記載の油圧式機械。
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
クランクハウジングを排気する際にガスを浄化する装置（１０）であって、
内部に分離室（１４）が設けられているハウジング（１２）と、
該ハウジング内に回転可能に軸承されたロータ軸（３２）および前記分離室（１４）内に配置された遠心ロータ（３９）を備えたロータ配置部と、
駆動流体を用いて前記ロータ軸（３２）を駆動するための流体の駆動装置（６４）と、
を具備し、
前記駆動装置（６４）が駆動室（６０）内に配置されており、該駆動室がハウジング分離壁（１６）によって該分離室（１４）から分離されており、前記ロータ軸（３２）が該ハウジング分離壁（１６）の貫通部を通して延びており、
前記貫通部の領域内に、前記駆動室（６０）を前記分離室（１４）からシールするためのラビリンスシール（７０）が設けられている前記ガスを浄化する装置において、
前記ハウジング分離壁（１６）が、パイプ突出部（３６）を有しており、該パイプ突出部（３６）は、前記駆動室（６０）へ向かって突出し、ラビリンスシール（７０）を実現するためのものであることを特徴とする、クランクハウジングを排気する際にガスを浄化する装置（１０）。
【請求項２】
前記パイプ突出部（３６）は、軸受ブッシュ（３６）を含んでおり、該軸受ブッシュ内に、前記ロータ軸（３２）を軸承するための軸受（３４）、特に玉軸受が収容されていることを特徴とする請求項１に記載の装置（１０）。
【請求項３】
前記軸受ブッシュ（３６）が、前記ハウジング分離壁（１６）内に一体化されていることを特徴とする請求項２に記載の装置（１０）。
【請求項４】
前記ラビリンスシールが、一周する軸方向の溝（７６）を備えたシールディスク（７０）を有しており、かつ
前記パイプ突出部（３６）の自由端部が、前記軸方向の溝（７６）内へ、好ましくは非接触で、嵌入することを特徴とする請求項１から３のいずれか１項に記載の装置（１０）。
【請求項５】
前記シールディスク（７０）が、回転するように前記ロータ軸（３２）に連結されていること請求項４に記載の装置（１０）。
【請求項６】
駆動装置が、流体により駆動可能な駆動ホィール（６４）、好ましくは流体を供給されるタービンホィール、を有し、前記駆動ホィールが前記ロータ軸上に相対回動不能に取り付けられて、前記シールディスク（７０）と連結されていることを特徴とする請求項４又は５に記載の装置（１０）。
【請求項７】
前記シールディスク（７０）が、駆動ホィール（６４）と軸受（３６）の間に配置されていることを特徴とする請求項２および６に記載の装置（１０）。
【請求項８】
前記シールディスク（７０）が、厚みの大きい径方向領域（７４）を有しており、前記径方向領域が軸受（３６）のインナーリングと接触することを特徴とする請求項４から７のいずれか１項に記載の装置（１０）。
【請求項９】
非接触で前記分離室（１４）を前記駆動室（６０）からシールする、ラビリンスシールを具備する請求項１から８のいずれか１項に記載の装置におけるシール配置体。
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
単一のクリンチ形ファスナ装置であって、これと共に、位置を揃えて形成した開口をもつ平行シートを直接係合することによって対面接合するクリンチ形ファスナ装置において、
一端にディスプレーサヘッド、そして対向端部に端面を有し、このヘッドが平面からなる上面を有するディスプレーサであるとともにファスナ装置の最も大きい直径を持つシャンク、
前記上面と実質的に平行の対向する側面を有し、前記ヘッドにより変位された一つのシートのシート材の低温流動を受けるために前記ヘッド真下の前記シャンクに設けられたアンダーカット溝、
各歯が前記シャンクの部分に沿って軸方向に延びており、前記アンダーカット溝の下に設けられた複数のブローチ歯、
から成ることを特徴とする単一のクリンチ形ファスナ装置。
【請求項２】
前記ブローチ歯の外径を前記アンダーカット溝の直径よりも大きく設定し、前記ヘッドの直径よりも小さく設定した請求項１記載のファスナ装置。
【請求項３】
平面からなる底面をもつ前記端面を、前記シャンクのブローチ部分に隣接してこの真下に設定した請求項２記載のファスナ装置。
【請求項４】
前記上面および前記端面の底面がともに円形である請求項３記載のファスナ装置。
【請求項５】
前記第１シートのシート材の低温流動により前記ファスナ装置の第１アンダーカット溝の実質的に全体を占める側壁をもつ第１孔を有する第１平面シートを有する２枚のシートを対面接合する請求項１のファスナ装置を有する装置であって、
前記第１シートに第２平面シートを対面接合する装置で、この第２シートは直径が第１シートの第１孔の直径より小さく、かつこれと同心の第２孔をもち、またファスナ装置のブローチ歯を第２孔の側壁に埋設形成したことを特徴とする装置。
【請求項６】
前記第１シートが金属シートで、前記第２シートが非金属シートである請求項５記載の装置。
【請求項７】
前記ファスナ装置の上面が前記第１シートの外面と同じ高さにあり、そして前記端面の底面が前記第２シートの外面と同じ高さにある請求項６記載の装置。
【請求項８】
単一のクリンチ形ファスナ装置であって、これと共に、平行シートを直接係合することによって対面接合するクリンチ形ファスナ装置において、
一端に平面からなる上面、そして対向端部にエンドキャップを有するシャンク、
各歯が前記シャンクの上部に沿って軸方向に延びており、前記上面真下に設けられた複数のブローチ歯、
前記ブローチ歯の真下に設けられた放射状に延びたフランジであるディスプレーサ、
前記エンドカップと実質的に平行の対向する側面を有し、前記ディスプレーサにより変位された材料の低温流動を受けるために前記ディスプレーサ真下の前記シャンクに設けられたアンダーカット溝、
から成ることを特徴とする単一のクリンチ形ファスナ装置。
【請求項９】
前記エンドカップが前記アンダーカット溝の真下に設けられた請求項８記載のファスナ装置。
【請求項１０】
前記上面及び前記エンドカップが円形である請求項９記載のファスナ装置。
【請求項１１】
前記上部の直径が該ファスナ装置の最も大きな直径となる請求項１０記載のファスナ装置。
【請求項１２】
前記エンドカップの直径が該ファスナ装置の最も小さな直径となる請求項１１記載のファスナ装置。
【請求項１３】
請求項８に記載のファスナ装置を含む装置であって、さらに、
請求項８に記載の単一ファスナ装置と直接係合することにより対面接合される２つのシート、
前記ファスナ装置の前記上部が挿入され該上部によって占められる第１の孔であって、前記ブローチ歯が該孔の側壁に埋設される第１孔を有する第１平面シート、
前記第１シートの第１孔と軸方向に位置を合わせた第２の孔であって、前記ディスプレーサにより生じる第２のシートのシート材の低温流動により前記アンダーカット溝の実質的に全体を占める変形する側壁を持つ第２孔を有する第２平面シート、
から成る装置。
【請求項１４】
前記第２孔の直径が前記第１孔の直径より小さい請求項１３に記載の装置。
【請求項１５】
前記ファスナ装置の上面が前記第１シートの外面と同じ高さであり、前記エンドカップが前記第２シートの外面と同じ高さである請求項１４に記載の装置。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
カートリッジ吸入口及びカートリッジ吐出口を含む吸入／吐出部を有するフィルタカートリッジと共に使用されるスプール弁マニホールドであって、前記スプール弁マニホールドが、
ハウジング吸入口及びハウジング吐出口を有する弁ハウジングと、
前記弁ハウジング内に動作可能に配置され、かつ、前記弁ハウジングに対して第一の軸の周りを回転するように構成された弁本体と、
を含み、
前記弁本体が前記第一の軸に垂直な方向への前記弁本体内への前記吸入／吐出部の挿入によって前記フィルタカートリッジの吸入／吐出部を受け入れるように構成されていることにより、前記弁本体が前記弁ハウジングに対して第一の回転位置にあるときは、前記ハウジング吸入口と前記カートリッジ吸入口とが、第一の流体流路を通じて流体的に連通し、前記ハウジング吐出口と前記カートリッジ吐出口とが、第二の流体流路を通じて流体的に連通し、かつ、前記弁本体が前記弁ハウジングに対して第二の回転位置にあるときは、前記ハウジング吸入口と前記カートリッジ吸入口とが、流体的に連通せず、前記ハウジング吐出口と前記カートリッジ吐出口とが、流体的に連通しない、スプール弁マニホールド。
【手続補正２】
【補正対象書類名】明細書
【補正対象項目名】００４１
【補正方法】変更
【補正の内容】
【００４１】
図１４及び図１５は、排出カム３６とフィルタカートリッジ２０の肩部表面４６との間の相互作用も示している。排出カム３６は、弁ハウジング３２上に設けられる。排出カム３６と肩部表面４６とは、排出カム要素と呼ばれてもよい。フィルタカートリッジ２０が第一の回転位置（図１４）から第二の回転位置（図１５）へ回転されるとき、排出カム３６と肩部表面４６の相互作用は、弁本体３４から矢印Ｃの方向に（図８参照）フィルタカートリッジ２０を摺動式に排出する。この相互作用は、吸入／吐出部２４と弁本体３４との間のシールを断ち切る。挿入カム要素もまた、当業者は、突起又は表面部分を弁ハウジング３２上に設けることができ、対応するカム部分をフィルタカートリッジ２０上に設けることができることを理解するであろう。
【手続補正３】
【補正対象書類名】明細書
【補正対象項目名】００４６
【補正方法】変更
【補正の内容】
【００４６】
フィルタカートリッジ２０を取り付けスプール弁マニホールドアセンブリ３３内に設置するという簡単な動作のために、スプール弁マニホールドアセンブリ３３は、器具又は他の適切な装置内の又はその上のあらゆる方向と位置に容易に取り付けることができ、それは当業者により理解されるであろう。この容易さは、製造業者、例えば、フィルタシステムに対して費用を変更することなく、機器製造業者がそれらの用途に最も良く適合するように多様に構成することを可能にする。
【手続補正４】
【補正対象書類名】明細書
【補正対象項目名】００６０
【補正方法】変更
【補正の内容】
【００６０】
吸入アセンブリ１００は、フィルタ相互接続構造体（頭部）１２４と接触するための頭部接触面部品１２３を含み、例えばＯリング１２５のようなシール構造体を受け入れるための吸入アセンブリ内に動作可能に配置された吸入コネクタ１１２と、液体濾過システム（図示されず）内のフィルタカートリッジがスプール弁マニホールドアセンブリ３０に動作可能に配置されるときにポペット弁１１４をフィルタカートリッジ２０の方へ偏倚させるための、吸入アセンブリに接して配置されたばねを有しており、吸入アセンブリ上に動作可能に配置された吸入ポペット弁１１４とを含む。
【手続補正５】
【補正対象書類名】明細書
【補正対象項目名】００６４
【補正方法】変更
【補正の内容】
【００６４】
静止（すなわち、流体濾過システムが流体又は水で満たさていれるが、吐出口は閉じており、そのため水が流体濾過システムを通じて移動することができない）状態では、水は、水を含有することができる容積を有するあらゆる空洞（これは、基本的にあらゆる圧力下のＯリングの間にある）内に捕捉される。
【手続補正書】
【提出日】平成21年4月30日(2009.4.30)
【手続補正１】
【補正対象書類名】明細書
【補正対象項目名】００５２
【補正方法】変更
【補正の内容】
【００５２】
本発明にしたがい製造されるポリウレタンフォームを使用する真空断熱パネルの製造において、そのフォームを、先ず、それ自体知られた方法で製造する。そして、得られたフォームを、本体が適切に形作られていない場合に、真空断熱パネルのコアとしての形状とする。これは、切断、特に、のこ引きにより適切なスラブサイズにすることによって達成される。切断において、その後得られるスラブはフォームの異方性の結果として低い熱伝導率を持つので、そのフォームを、特に泡の方向と平行に切断する。形作られた本体を、その後、気密性の被覆物、好ましくは、合わせフィルムで被覆し、排気して、気密になるように融着して閉塞する。
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
シートに連結した背部支持部と、前記シートに連結した少なくともひとつの脚支持部と、該脚支持部に連結した少なくともひとつの移動可能な足支持部と、マルチポジション支持装置の角度位置及び前記移動可能な足支持部の位置とを変更操作し得る少なくともひとつのエンジンとを備えたマルチポジション支持装置において、
前記足支持部は、前記マルチポジション支持装置が横たわった状態から立位へと移り始める際に、前記脚支持部上を前記背部支持部方向に移動した後、さらに、前記足支持部は、前記マルチポジション支持装置がほぼ立位の状態へ達する際に、前記足支持部が床面にほぼ達するまで前記脚支持部上を床方向へと移動することを特徴とするマルチポジション支持装置。
【請求項２】
請求項１において、使用者は前記マルチポジション支持装置に支持され、前記移動可能な足支持部はさらにセンサーを備えて、前記足支持部が前記背部支持部方向へと移る際に、前記センサーからの測定を前記足支持部への使用者の足の接触による前記足支持部の動作の停止に利用することを特徴とするマルチポジション支持装置。
【請求項３】
請求項２において、前記センサーは圧力センサーであることを特徴とするマルチポジション支持装置。
【請求項４】
請求項１又は請求項２のいずれか一項において、さらにマットレスを備え、前記移動可能な足支持部は、前記マットレスの挿入口を通じてエンジンと連結されたことを特徴とするマルチポジション支持装置。
【請求項５】
請求項１から請求項３のいずれか一項において、前記移動可能な足支持部は、少なくともひとつのアーム状の伸展部を用いるエンジンに接続されたことを特徴とするマルチポジション支持装置。
【請求項６】
請求項１から請求項５のいずれか一項において、前記移動可能な足支持部は電動式であって、前記足支持部はさらに対象物の検出に利用するセンサーを備えて、前記センサーは前記足支持部の軌道において対象物を検出して、前記移動可能な電動式足支持部がそれらを押し潰さないように防止することを特徴とするマルチポジション支持装置。
【請求項７】
立っている使用者を受け入れ、移動可能な足支持部は床面にほぼ接する位置に達し、前記使用者を予め定められたリクライニング位に移らせ、前記移動可能な足支持部は脚支持部上をその使用者の脚方向へと移動し、前記使用者を立位へと戻し、前記足支持部は床へ向って床面にほぼ達するまで動く、ことを特徴とする脚支持部と移動可能な足支持部とを備えたマルチポジション支持装置の使用方法。
【請求項８】
請求項７において、前記使用者を予め定められたリクライニング位に移す動作は、前記使用者が背部方向へと寄り掛かり、そこから予め定められた中間的傾斜角に移り、その後に前記使用者が予め定められたリクライニング状態へと移す過程を含み、さらに、前記使用者を予め定められた立った状態へと戻す動作は、使用者を予め定められた中間的傾斜角へと移し、そこで使用者を前記立った状態へ移行させる予め定められたリクライニング状態へと移す過程を含むことを特徴とするマルチポジション支持装置の使用方法。
【請求項９】
請求項７又は請求項８のいずれか一項において、使用者を立った状態へと戻す動作は、前記足支持部の軌道において対象物を検出し、前記マルチポジション支持装置がその対象物を押し潰さないように防止することを特徴とするマルチポジション支持装置の使用方法。
【請求項１０】
請求項７又は請求項８のいずれか一項において、前記足支持部が前記使用者の足へと移動する過程は、前記足支持部が使用者の足に達するまで動くものであることを特徴とするマルチポジション支持装置の使用方法。
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
立っている使用者を立位において受け入れ、立位からリクライニング位へと角度位置を変更させ、該リクライニング位にて前記使用者を入浴させ、使用者をもとの立位へと戻す動作が可能なマルチポジション装置を備えたことを特徴とする入浴システム。
【請求項２】
請求項１において、前記マルチポジション支持装置は、背部支持部と、着座部と、脚支持部と、足支持部とを備え、前記足支持部は前記マルチポジション支持装置が立位になった際に床面に近接することを特徴とする入浴システム。
【請求項３】
請求項２において、前記マルチポジション支持装置は、さらにバネ部表面を備え、少なくともひとつの前記バネ部表面にはのスプリンクラーが少なくともひとつ組み込まれたことを特徴とする入浴システム。
【請求項４】
請求項１から請求項３のいずれか一項において、前記マルチポジション支持装置は、水を保持することが可能であることを特徴とする入浴システム。
【請求項５】
請求項４において、前記マルチポジション支持装置は、少なくとも使用者の背中が水中に浸るのに必要な水位を保持することを特徴とする入浴システム。
【請求項６】
請求項４において、前記マルチポジション支持装置は完全なリクライニング状態において完全な水平状態ではなく、背部支持部は上端が開いたものであることを特徴とする入浴システム。
【請求項７】
請求項１から請求項５のいずれか一項において、さらに、センサーを備えて、前記マルチポジション支持装置が衝突する危険性のある対象物を検出するよう作動し、前記マルチポジション支持装置が検出された対象物へ衝突しないように防止することを特徴とする入浴システム。
【請求項８】
請求項１から請求項７のいずれか一項において、前記マルチポジション支持装置は、さらに、少なくともひとつのエンジンを備えてその角度位置を変位すると共に、使用者が脱落してしまう角度位置に達しないようにしたことを特徴とする入浴システム。
【請求項９】
請求項１から請求項８のいずれか一項において、前記マルチポジション支持装置の足下部分は、前記マルチ支持ポジション支持装置が立位の状態となった際に、足支持部の下部に位置する排水管を覆うことを特徴とする入浴システム。
【請求項１０】
マルチポジション支持装置を用いて立った状態の使用者を受け入れ、使用者を予め定められたリクライニング位へと移し、使用者を予め定められたリクライニング位で入浴させてから、使用者を立った状態へと戻すことを特徴とする入浴方法。
【請求項１１】
請求項１０において、前記の使用者を予め定められたリクライニング位へと移す過程は、使用者を後方へと傾斜させて、予め定められた中間的傾斜角に達した後、前記使用者を予め定められたリクライニング位へと移すものであることを特徴とする入浴方法。
【請求項１２】
マルチポジション支持装置を用いて立った状態の使用者を受け入れ、使用者を予め定められた座った状態へと移し、使用者をその予め定められた座った状態で入浴させてから、使用者を立った状態へと戻すことを特徴とする入浴方法。
【手続補正２】
【補正対象書類名】明細書
【補正対象項目名】００２７
【補正方法】変更
【補正の内容】
【００２７】
さらに、リクライニング状態から座った状態の間で移動することが可能な入浴システムが求められる。
さらに、座った状態と立った状態との間で調節可能な入浴システムが求められる。
さらに、拡散噴出水の温度調節をすることが求められる。
さらに、一定の流量に操作される揚水部を備えた入浴システムが求められる。
【手続補正３】
【補正対象書類名】明細書
【補正対象項目名】０１３２
【補正方法】変更
【補正の内容】
【０１３２】
本発明の典型的実施例において、バネ部は、バネの硬さを異なった程度にすることが可能であり、それによりバネの硬さの程度が異なるバネ部を個別的に相互に結合しうるだけではなく、バネの硬さという点においてバネ部を調整することが可能としたものである。バネの硬さが異なることにより、頭部のよう身体の敏感な部分をよりよく支持することを可能にしたものである。
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
（ａ）開口を有する中央内部空間を取り囲みかつ前記中央内部空間を画定するフィルタ媒体の領域と、
（ｂ）第１端部キャップと第２端部キャップと、
を有し、
（i）前記フィルタ媒体が、前記第１端部キャップと第２端部キャップとの間に延設されており、
（ii）前記第１端部キャップは、空気の流れを通す開口が無く、
（iii）前記第２端部キャップは、前記第２端部キャップの外側の周囲を取り囲むハウジングの半径方向シール表面であって、前記第２端部キャップの外側に環状の、外側に向かった前記ハウジングの半径方向シール表面を備える、開口を有する端部キャップであり、
（Ａ）前記第２端部キャップは、前記第２端部キャップに隣接する前記フィルタ媒体の外側の端部から半径方向に３ｍｍ未満の位置でありかつ前記ハウジングに対する半径方向シール表面から１５ｍｍ未満である位置に、最深部を有するように配置されている溝を備えることを特徴とするエアフィルタカートリッジ。
【請求項２】
（ａ）前記溝の前記最深部は、前記溝の前記最深部に最も近くに隣接する前記第２端部キャップの外側の軸方向表面からの最小深さが少なくとも１.５ｍｍであることを特徴とする請求項１に記載のエアフィルタカートリッジ。
【請求項３】
（ａ）前記フィルタ媒体を取り囲こみかつ前記第２端部キャップ中に突き出ている部分を有する、外側の支持体を有することを特徴とする請求項１または請求項２に記載のエアフィルタカートリッジ。
【請求項４】
（ａ）前記第２端部キャップ中の前記溝は、前記フィルタ媒体の半径方向外側の位置であってかつ前記フィルタ媒体から２ｍｍ未満の位置で、前記外側の支持体の端部と軸方向に重なる部分内に、前記溝の最深部を有して配置されていることを特徴とする請求項３に記載のエアフィルタカートリッジ。
【請求項５】
（ａ）前記第２端部キャップは、適所に鋳込まれた端部キャップであり、
（ｂ）前記フィルタ媒体を取り囲みかつ前記第２端部キャップ中に突き出ている、外側の支持体の部分は、前記第２端部キャップが鋳込み成形される樹脂の流れに対して不浸透性であることを特徴とする請求項１乃至請求項３のうちのいずれか１項に記載のエアフィルタカートリッジ。
【請求項６】
（ａ）前記第２端部キャップは、前記溝によって分離された外側の軸方向表面部と内側の軸方向表面部とを含んでおり、
（i）前記内側の軸方向表面部は、前記溝にすぐに隣接する位置での前記フィルタ媒体の端部の平面から前記外側の軸方向表面部までの軸方向の厚さよりも大きい、前記平面と同じ平面から前記内側の軸方向表面部までの軸方向の厚さを、前記溝にすぐに隣接する位置に有することを特徴とする請求項１乃至請求項５のうちのいずれか１項に記載のエアフィルタカートリッジ。
【請求項７】
（ａ）前記フィルタ媒体の領域は、前記第１端部キャップから前記第２端部キャップまでの間の延長部で、少なくとも０.５°の角度で外側に円錐形状となるように延びており、
（i）前記フィルタ媒体の領域は、前記第１端部キャップに隣接するよりも前記第２端部キャップに隣接する方がより大きい周囲長さを画定することを特徴とする請求項１乃至請求項６のうちのいずれか１項に記載のエアフィルタカートリッジ。
【請求項８】
（ａ）内部空間を画定し、端部出口を含んでいるハウジングを備えており、
（i）前記ハウジングは、前記端部出口を取り囲む端部壁を含み、
（ii）前記ハウジングは、前記端部壁を取り囲む、環状のハウジングシール表面を含み、
（iii）前記ハウジングは、前記端部壁から前記ハウジングの内部空間中に突き出るリングを含み、
（Ａ）前記リングは、前記端部出口と、前記ハウジングの環状の半径方向シール表面と、の両方から離れて配置されており、
（ｂ）前記ハウジングの内部空間中に取り外し可能に配置されている請求項１乃至７のうちのいずれか１項に記載のエアフィルタカートリッジを備えており、
（i）前記エアフィルタカートリッジは、
（Ａ）前記リングが、前記端部壁から前記ハウジングの前記内部空間中に突き出ていてかつ前記第２端部キャップ上の溝中に少なくとも部分的に突き出ており、
（Ｂ）前記端部キャップの前記ハウジングに対する半径方向シール部分が、前記ハウジングの前記環状のハウジングシール表面に対して半径方向にシールされるように配置されていることを特徴とするエアクリーナ。
【請求項９】
（ａ）前記端部壁から前記ハウジングの前記内部空間中に突き出ている前記リングは、分割されたリングであることを特徴とする請求項８に記載のエアクリーナ。
【請求項１０】
（ａ）前記端部壁から前記ハウジングの前記内部空間中に突き出ている前記リングは、前記端部壁から前記ハウジングの内部空間中に少なくとも２ｍｍ突き出しており、
（ｂ）前記溝は、前記第２端部キャップに隣接する外側の軸方向の表面から最小深さが少なくとも１.５ｍｍの深さであることを特徴とする請求項８又は請求項９に記載のエアクリーナ。
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
柔軟な貯蔵バッグであって、
第１の柔軟な側壁と、
第１の側壁と重なり接合されて内容積を提供する第２の柔軟な側壁であって、第１と第２の側壁の間に配置された開口部を介して内容積にアクセス可能な第２の柔軟な側壁と、
第１の側壁の開口部の近くに取り付けられた第１の係合締付けストリップであって、第１の密封プロファイルを有する第１の係合締付けストリップと、
第２の側壁の開口部の近くに取り付けられた第２の係合締付けストリップであって、第１の密封プロファイルと係合することができる第２の密封プロファイルを有する第２の係合締付けストリップと、
第１の密封プロファイルの少なくとも一部分に配置された封止材とを有する柔軟な貯蔵バッグ。
【請求項２】
封止材は第１の密封プロファイルの表面に配置された、請求項１に記載の貯蔵バッグ。
【請求項３】
封止材は第１の密封プロファイル内に充填された、請求項１に記載の貯蔵バッグ。
【請求項４】
封止材はシリコーン油、鉱油、モノグリセリド、脂肪酸、ポリブテン、ペトロリウムゼリーおよびシリコーンゲルから成るグループから選択される、請求項１に記載の貯蔵バッグ。
【請求項５】
弁要素は第１の側壁または第２の側壁の少なくとも一方に取り付けられる、請求項１に記載の貯蔵バッグ。
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
透析液を作るための方法であって、
（ａ）患者に投与するために処方された重炭酸塩の透析液成分内に存在し、又、それから生じた透析液内で利用可能重炭酸塩になりそうな重炭酸塩の量を決定すること、
（ｂ）患者に投与するために処方された酸の透析液成分内に存在し、又、該当する酢酸塩の代謝の結果としてそれから生じた透析液内で利用可能重炭酸塩になりそうな酢酸塩の量を決定すること、
（ｃ）（ａ）及び（ｂ）で決定された全量が患者に投与するために望ましい全塩基バッファーの全量と実質的に合致するような比率で酸の透析液成分と炭酸塩の透析液成分を組合わせること、
を含む方法。
【請求項２】
水溶液内に溶解可能な重炭酸塩の透析液成分内に存在する重炭酸塩の量を決定することを含む請求項１の方法。
【請求項３】
水溶液内に溶解可能な酸の透析液成分内に存在する酢酸塩の量を決定することを含む請求項１の方法。
【請求項４】
さらに、利用可能ナトリウムの全量が、患者への投与に望ましいナトリウムの全量と合致するような比率で酸の透析液成分を重炭酸塩の透析液成分と組合わせることを含む請求項１の方法。
【請求項５】
さらに、望ましいイオン濃度の透析液を生じるような比率で、水性の透析液成分と酸の透析液成分及び重炭酸の透析液成分を組合わせることを含む請求項１の方法。
【請求項６】
さらに、結果としての補助成分の濃度を計算することを含む請求項１の方法。
【請求項７】
ｄ）患者に投与するために処方された酸の透析液成分内に存在し、又、それから生じた透析液内で利用可能ナトリウムになりそうなナトリウムの量を決定すること、
ｅ）患者に投与するために処方された重炭酸塩の透析液成分内に存在し、又、それから生じた透析液内で利用可能ナトリウムになりそうなナトリウムの量を決定すること、
ｆ）（ｄ）及び（ｅ）で決定された量の合計が患者への投与のために望ましいナトリウムの全量と実質的に合致する比率で酸の透析成分と重炭酸塩の透析成分を組合わせること、
を更に含む請求項１の透析液を作るための方法。
【請求項８】
透析液投与のための方法であって、
（ａ）患者への投与に望ましいナトリウムの全量を表す値を入力するステップ、
（ｂ）患者への投与に望ましい重炭酸塩の全量を表す値を入力するステップ、
を含む方法。
【請求項９】
さらに、（ｃ）酸の透析液成分内の酢酸塩の全量を表す値を入力するステップ、を含む請求項８の方法。
【請求項１０】
さらに、
（ｄ）患者に投与するために処方された重炭酸塩の透析液成分内に存在し、又、それから生じた透析液内で利用可能重炭酸塩になりそうな重炭酸塩の量を決定するステップ、
（ｅ）患者に投与するために処方された酸の透析液成分内に存在し、又、それから生じた透析液内で酢酸塩の代謝の結果として利用可能重炭酸塩になりそうな酢酸塩の量を決定するステップ、
（ｆ）（ａ）及び（ｂ）で決定された量から見て、患者に投与するために望ましい塩基バッファーの全量と実質的に合致する組合わせの重炭酸塩の透析液成分に対する酸の透析液成分の比率を決定するステップ、
（ｇ）ステップ（ｆ）での決定の結果を表示するステップ、
を含む請求項８の方法。
【請求項１１】
さらに、結果としての補助成分の濃度を計算し、決定するステップを含む請求項８の方法。
【請求項１２】
さらに、
（ｄ）患者に投与するために処方された重炭酸塩の透析液成分内に存在し、又、それから生じた透析液内で全体的に利用可能ナトリウムになりそうなナトリウムの量を決定するステップ、
（ｅ）患者に投与するために処方された酸の透析液成分内に存在し、又、それから生じた透析液内で利用可能ナトリウムになりそうなナトリウムの量を決定するステップ、
（ｆ）（ａ）及び（ｂ）で決定された量から見て、患者に投与するために望ましい透析液の全量と実質的に合致する組合わせの重炭酸塩の透析液成分に対する酸の透析液成分の比率を決定するステップ、
（ｇ）ステップ（ｆ）での決定の結果を表示するステップ、
を含む請求項８の方法。
【請求項１３】
血液透析の装置であって、
Ａ．（ａ）患者への投与に望ましいナトリウムの総量、及び（ｂ）患者への投与に望ましいバッファーの総量のうちの１以上を表す値を受けるインターフェース、
Ｂ．（ｉ）患者に投与するために処方された重炭酸塩の透析液成分内に存在し、又、それから生じた透析液内で利用可能重炭酸塩になりそうな重炭酸塩の量、
（ｉｉ）患者に投与するために処方された酸の透析液成分内に存在し、又、患者による酢酸塩の代謝の結果としてそれから生じた透析液内で利用可能重炭酸塩になりそうな酢酸塩の量、
を決定するプロセッサー、を含み、
Ｃ．Ｂ（ｉ）及びＢ（ｉｉ）でプロセッサーにより決定された量の合計が患者への投与に望ましい全塩基バッファーの総量と実質的に合致するような比率で、酸の透析液成分と重炭酸の透析液成分の組合わせを患者に送出する装置。
【請求項１４】
Ｂ（ｉ）でプロセッサーにより決定された量、Ｂ（ｉｉ）でプロセッサーにより決定された量、及び、患者に送出された重炭酸塩の透析液成分に対する酸の透析液成分の比率のいずれかをインターフェースが表示する請求項１３の装置。
【請求項１５】
Ｄ．プロセッサーが追加的に
（ｉ）患者に投与するために処方された酸の透析液成分内に存在し、又、それから生じた透析液内で利用可能ナトリウムになりそうなナトリウムの量、
（ｉｉ）患者に投与するために処方された重炭酸塩の透析液成分内に存在し、又、それから生じた透析液内で利用可能ナトリウムになりそうなナトリウムの量、
を決定すること、
を含む請求項１３の装置。
【請求項１６】
Ｂ（ｉ）及びＢ（ｉｉ）でプロセッサーにより決定された量の合計が患者への投与に望ましい全塩基バッファーの総量と実質的に合致するような比率で、又、Ｄ（ｉ）及びＤ（ｉｉ）で決定された量の合計が患者への投与に望ましいナトリウムの総量と実質的に合致するように、酸の透析液成分と重炭酸の透析液成分の組合わせを患者に送出する請求項１５の装置。
【請求項１７】
インターフェースが、Ｂ（ｉ）でプロセッサーにより決定された量、Ｂ（ｉｉ）でプロセッサーにより決定された量、Ｄ（ｉ）でプロセッサーにより決定された量、Ｄ（ｉｉ）でプロセッサーにより決定された量、及び、患者に送出された重炭酸塩の透析液成分に対する酸の透析液成分の比率のどれかを表示する請求項１６の装置。
【請求項１８】
プロセッサーが、水溶液に溶解できる重炭酸塩の透析液成分内に存在する重炭酸塩の量および水溶液に溶解できる酸の透析液成分内に存在する酢酸塩の量の少なくとも一を決定する請求項１３の装置。
【請求項１９】
利用可能ナトリウムの総量が患者への投与に望ましいナトリウムの総量と合致するような比率で、酸の透析液成分と重炭酸の透析液成分の組合わせを行う請求項１３の装置。
【請求項２０】
望ましいイオン濃度の透析液を生じるような比率で、水性の透析液成分と酸の透析液成分の、又、重炭酸塩の透析液成分の組合わせを行う請求項１３の装置。
【請求項２１】
請求項１−１２のどれかに基づいて動作する血液透析のための装置。
【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
皮下組織貫通部を覆うようになっている後面を有する基部と、
基部を通って配置され、且つ貫通部を通るようになっているアクセス内腔を有する導管と、
導管の後部分におけるアンカーと、を備えており、前記アンカーは拡張された固定構成と、未拡張の展開構成との間で移動可能である、皮下アクセス装置。
【請求項２】
組織貫通部の厚さの差に順応するために基部とアンカーとの間に従順なコネクタを更に備えている請求項１に記載の皮下アクセス装置。
【請求項３】
従順なコネクタはコイルばねを備えている、請求項２に記載の皮下アクセス装置。
【請求項４】
アンカーは機械的に拡張可能な構造体を備えている、請求項１〜３のいずれか１項に記載の皮下アクセス装置。
【請求項５】
機械的に拡張可能な構造体はメイルコット、変形可能な編組物およびフックよりなる、請求項４に記載の皮下アクセス装置。
【請求項６】
アンカーは膨らまし可能な構造体よりなる、請求項４に記載の皮下アクセス装置。
【請求項７】
アンカーは
軸方向圧縮時に半径方向に拡張するアンカー要素と、
アンカー要素を基部に固着する従順なマウントと、
アンカー要素を基部に引き寄せるために、且つ（１）アンカー要素を軸方向に圧縮して半径方向に拡張を引き起こすのと、（２）半径方向に拡張されたアンカー要素を組織の後面に引き当てるのと両方のためにアンカー要素と基部との間に連結された引張り組立体と、
を備えている、請求項１〜３のいずれか１項に記載の皮下アクセス装置。
【請求項８】
アンカー要素はメイルコットまたは変形可能な編組物である、請求項７に記載の皮下アクセス装置。
【請求項９】
引張り組立体は基部上のリールと、リールとアンカーとの間の１つまたはそれ以上のテザーとを備えている、請求項７又は８に記載の皮下アクセス装置。
【請求項１０】
引張り組立体は同軸の管を備えている、請求項７又は８に記載の皮下アクセス装置。
【請求項１１】
引張り組立体は係止クリップおよび引張り具を備えている、請求項７又は８に記載の皮下アクセス装置。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
例えば内視鏡、の円形の又は略円形のチャネルを洗浄するのに適した引き通し用具であって、該引き通し用具が、少なくとも一部の周りに、洗浄する役割を果たす少なくとも一つの塊体を担持するフィラメントを有し、前記塊体が、前記フィラメント上の少なくとも一部にシースを形成するとともに、前記シース及び前記フィラメントの軸線に対して軸線方向に離間して配置され且つ前記シースと一体化され又は前記シースによって担持されている少なくとも二つの半径方向フィンを形成している前記引き通し用具において、
前記フィンは、前記シース及び前記フィラメントの軸線に対してそれぞれ概略半径方向に向けられ、所定のプロファイルを有し、前記フィンの各々が、他の前記フィンの如何なる実質的な干渉なしに、フィン直径とほぼ同じ直径の導管及び１ｍｍ以上且つフィン直径より小さい直径の導管の一方又は両方を洗浄することができるように離間して配置され且つ所定の材料で形成されており、
フィンの各々が、前記導管の３６０度洗浄を提供することを特徴とする引き通し用具。
【請求項２】
断続的に、連続的に又は成形される領域を別な方法により引き込まれる前記フィラメントが、前記フィラメント上に形成されたプロファイル塊体を有し、次に、該プロファイル塊体と前記フィラメントとが概略横向きに分割切断、又は別な方法で分離され、一の前記フィラメント長さによって、引き通しのための洗浄プロファイルの前記引き通し用具を備えた前記塊体の一部と、他の前記フィラメント長さによって、引き通しのために供給プロファイルを備えた前記塊体の別の部分とから形成されるような情況下で作られる請求項１に記載の内視鏡又はチャネル引き通し用洗浄具と同様なもの。
【請求項３】
円形又は略円形の内視鏡チャネルを清掃するのに適した引き通し用具であって、該引き通し用具が、少なくとも一部の周りに、清掃する役割を果たす少なくとも一つの塊体が担持されるフィラメントを有し、前記塊体又は前記塊体の少なくとも一つが、前記フィラメント軸線に対して軸線方向に離間して配置された少なくとも二つの半径方向のフィンを備えているという条件下で、シースと一体化され又はシースによって担持される少なくとも一つの半径方向フィンを有するシースをフィラメント上の少なくとも一部に形成しており、
前記フィンは、前記軸線に対してそれぞれ概略半径方向に向けられ、所定のプロファイルを有し、前記フィンの各々が、他の前記フィンの如何なる実質的な干渉なしに、フィン直径とほぼ同じ直径の導管及び少なくとも１ｍｍ且つフィン直径より小さい直径の導管の一方又は両方を洗浄することができるように離間して配置され且つ所定の材料で形成されていること特徴とする引き通し用具。
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
目の不規則な収差を測定するセンサと、
測定された収差を使用して屈折処方を発生させるプロセッサと、
中心部及び周縁部を有し、周縁部が強膜上に位置決めされるように構成されるレンズ加工物と、
収差が緩和されるように、屈折処方毎にレンズ加工物から収差矯正レンズを形成するレンズ構成システムと、
を含む強膜に囲まれる角膜を有する患者の目の不規則な収差を矯正するシステム。
【請求項２】
プロセッサは、屈折処方に対応するレーザエネルギーの確認パターンを発生させる請求項１に記載のシステム。
【請求項３】
レンズ構成システムは、収差矯正レンズを形成するように、屈折処方に従ってレンズ加工物にレーザエネルギーを向けるレーザシステムである請求項１に記載のシステム。
【請求項４】
レンズ加工物は、整列の印を含み、システムは、整列の印を利用してレンズ加工物とレーザシステムからの切除ビームとを整列させるように構成される整列システムを更に含む請求項３に記載のシステム。
【請求項５】
レーザエネルギーは、レンズ加工物の中心部に確認パターンを与えるために向けられる請求項１に記載のシステム。
【請求項６】
周縁部は、目の上の収差と中心部を光学的に整列させるように構成される請求項１に記載のシステム。
【請求項７】
周縁部は、目の上に確認レンズを安定させるように構成される請求項１に記載のシステム。
【請求項８】
周縁部は、目の上に中心部を支持するように構成される請求項１に記載のシステム。
【請求項９】
センサは、目の光学要素及びレンズ加工物を通過した光の波面を測定するように構成される請求項１に記載のシステム。
【請求項１０】
中心部及び周縁部を有し、周縁部が強膜上に位置決めされるように構成される、整列の印を有するレンズ加工物と、
波面が整列の印を参照できるように、レンズ加工物が上に乗った目から波面を測定するように構成される波面センサと、
レンズ加工物の変化を判定し、整列の印を参照するレンズ加工物の屈折変更を伝達する出力を有するプロセッサと、
プロセッサの出力に連結され、整列の印を参照して屈折変更を実施するための切除ビームを発生させるように構成されるレーザシステムと、
を含む目の不規則な収差を矯正するシステム。
【請求項１１】
中心部及び周縁部を含み、周縁部が強膜上に位置決めされ、かつ目の上にレンズを安定させるように構成され、中心部が収差の屈折矯正に対応する光学プロファイルを有する患者の目の収差を矯正する強膜レンズであって、光学プロファイルは、収差の波面駆動型測定を使用して判定されるレンズ。
【請求項１２】
光学プロファイルは、レーザ切除によって作り出される請求項１１に記載のレンズ。
【請求項１３】
屈折矯正は、高次光学収差、低次光学収差、又は老視の少なくとも１つを緩和する請求項１１に記載のレンズ。
【請求項１４】
周縁部は、周縁輪郭が目の上に確認レンズを安定させるように、強膜の表面輪郭に対応する表面輪郭を有する請求項１１に記載のレンズ。
【請求項１５】
レンズは、非球面輪郭を有する請求項１１に記載のレンズ。
【請求項１６】
中心部及び周縁部を含み、周縁部が強膜上に位置決めされ、かつ目の上にレンズを安定させるように構成され、中心部が収差の屈折矯正に対応する光学プロファイルを有し、光学プロファイルが、収差の波面駆動型測定によって判定され、かつレンズ表面のレーザ切除によって生成される患者の目の収差を矯正する強膜レンズ。
【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
ポンプ本体の投薬チャンバによって、液体または半液体の製品を投与および吸入するためのデバイスであって、該デバイスは、該ポンプ本体内に固定されて設置されているピストンを備え、該ピストンは、該チャンバ内に防水様態で挿入される一端を備え、該ピストンの該一端は、弾性的に変形可能な膜で覆われているデバイスであって、該膜は、一方に、該ピストンの該端で弁座を形成する突出要素によって防水様態で塞がれることが可能である中央供給オリフィスを備える吸入バルブを形成する水平な壁と、他方に、該チャンバの内壁と滑動するように接触する少なくとも１つの周辺密閉リップを装備された円筒形の付属スカートとを備えていることを特徴とする、デバイス。
【請求項２】
前記ボスは、前記チャンバの前記内壁上に突出する少なくとも１つの軸方向リブから成ることを特徴とする、請求項１に記載のデバイス。
【請求項３】
前記突出要素は、バルブが閉じた位置と開いた位置との間で移動可能なボールから成り、該開いた位置において、液体製品が前記チャンバに入ることを該バルブが可能にするということを特徴とする、請求項１に記載のデバイス。
【請求項４】
前記デバイスは、前記供給オリフィスの軸に前記突出要素の中心を定めるための複数の要素を備えているということを特徴とする、請求項１に記載のデバイス。
【請求項５】
前記膜の前記水平な壁の底面は、前記中央オリフィスを中心にして置かれ、前記バルブが閉じた位置において前記ピストンの前記端から突出する前記要素の上に載る環状パッドを備えているということを特徴とする、請求項１に記載のデバイス。
【請求項６】
前記デバイスは、前記ポンプ本体に前記ピストンを接続するための要素を備えているということを特徴とし、該要素は、前記膜を保持するためのベアリングを装備されている、請求項１に記載のデバイス。
【請求項７】
前記保持ベアリングは、前記膜のスカートをスナップフィットするための手段を備えているということを特徴とする、請求項６に記載のデバイス。
【請求項８】
前記スナップフィットする手段は、前記要素の側壁に作成され、前記スカートの前記内壁に提供されるスナップフィットするビードと協働する周辺溝から成るということを特徴とする、請求項７に記載のデバイス。
【請求項９】
前記接続要素は、前記ポンプ本体の底部部分に付加されるように設計された独立部品であるということを特徴とする、請求項６に記載のデバイス。
【請求項１０】
前記接続要素は水平な壁を備え、該水平な壁は、底部を形成し、該底で前記本体を塞ぐように設計されているということを特徴とする、請求項６に記載のデバイス。
【請求項１１】
前記接続要素は、円柱形ボアを備え、該円柱形ボアの中において、前記製品を吸入するためのチューブが挿入されるということを特徴とする、請求項６に記載のデバイス。
【請求項１２】
前記接続要素の前記保持ベアリングは軸方向供給導管を備え、該軸方向供給導管は、その底部で前記円柱形ボアと連通しているということを特徴とする、請求項１１に記載のデバイス。
【請求項１３】
前記接続要素は、前記膜の前記スカートの底縁が停止する周辺肩を備えているということを特徴とする、請求項６に記載のデバイス。
【請求項１４】
前記周辺密閉リップは、前記周辺肩の近くに提供されるということを特徴とする、請求項１３に記載のデバイス。
【請求項１５】
前記デバイスは、前記ピストンの前記端の突出要素が挿入される拡張キャビティを備えているということを特徴とする、請求項１に記載のデバイス。
【請求項１６】
前記突出要素は、バルブが閉じた位置と開いた位置との間で移動可能なボールから成り、該開いた位置において、液体製品が前記チャンバに入ることを該バルブが可能にするということを特徴とする、請求項２に記載のデバイス。
【請求項１７】
前記スカートは、前記ポンプをプライミングするときに、前記チャンバ内の前記ピストンによって圧縮された空気を解放するために、該チャンバの内壁に提供されたボスとの接触での変形によってバルブを形成する、請求項１に記載のデバイス。